(57)【要約】【課題】安全で、誰にでも美しい飾り切りが容易にできるゆで卵カッターを提供する。【解決手段】ゆで卵ＢＥを切断する糸状部材１２と、少なくとも２つ以上のセグメント１３１、１３２からなり、ゆで卵ＢＥを包み込むように保持するゆで卵保持部１３と、糸状部材１２が取り付けられ、取り付けられた糸状部材１２とともに、ゆで卵保持部１３に覆われたゆで卵ＢＥに一端１６１が挿入される固定棒１６と、糸状部材１２が貫通するよう、隣り合うセグメント１３１、１３２を離間させてなる溝１４と、ゆで卵保持部１３にゆで卵ＢＥを挿脱させるよう、複数のセグメント１３１、１３２を開閉自在に連結させる連結部１５とを備える。【選択図】図１
2018202576.tif 000002
【特許請求の範囲】
【請求項１】
ゆで卵を切断する糸状部材と、
少なくとも２つ以上のセグメントからなり、前記ゆで卵を包み込むように保持するゆで卵保持部と、
前記糸状部材が取り付けられ、前記取り付けられた糸状部材とともに、前記ゆで卵保持部に覆われたゆで卵に一端が挿入される固定棒と、
前記糸状部材が貫通するよう、隣り合う前記セグメントを離間させてなる溝と、
前記ゆで卵保持部に前記ゆで卵を挿脱させるよう、前記複数のセグメントを開閉自在に連結させる連結部と、
を備えるゆで卵カッター。
【請求項２】
請求項１に記載のゆで卵カッターであって、さらに、
前記固定棒がゆで卵保持部に挿入される長さを調整する調整部を備えるゆで卵カッター。
【請求項３】
請求項１又は請求項２に記載のゆで卵カッターであって、さらに、
前記固定棒がゆで卵に挿入された際に、前記糸状部材が前記溝を貫通するよう取り付けられ、前記糸状部材が前記溝に沿って移動するよう前記糸状部材を誘導する誘導部を備えるゆで卵カッター。
【請求項４】
請求項１〜３のいずれか一に記載のゆで卵カッターであって、
連結部は、複数の連結部材からなり、
前記連結部材は、ユーザが少なくとも２つの連結部材を片手で握ることができるよう、互いに回動可能に結合されるゆで卵カッター。
【発明の詳細な説明】
【技術分野】
【０００１】
本発明は、ゆで卵の切り口を美しく切断するゆで卵カッターに関する。
【背景技術】
【０００２】
従来、ゆで卵を切る道具として、ゆで卵を輪切りにスライスするゆで卵カッターがよく知られている。しかしながら、このようなゆで卵カッターは、飾り切りのような装飾的な切断はできなかった。
【０００３】
このような問題を解決すべく、例えば特許文献１に示すような卵の飾り切り器が知られている。この卵の飾り切り器は、各断面がＶ字又はＷ字の三角形状の花形切り刃と、卵を立てて保持し、前記花形切り刃を当てて差し込む案内部を有する卵保持器からなり、ユーザは、花形切り刃を、案内部に当て、卵保持器に立てた卵に順に差し込むことで、ゆで卵を花形切りにできる。
【先行技術文献】
【特許文献】
【０００４】
【特許文献１】特開２００６−１０２９３１号公報
【発明の概要】
【発明が解決しようとする課題】
【０００５】
しかしながら、刃の差し込み角度により、切り込みの入り方が変わるため、綺麗な飾り切りができるようになるには慣れが必要で、加えて、刃物を使用するため、安全性の面から、小さな子供には適さなかった。
【０００６】
本発明は、従来のこのような問題点に鑑みてなされたものである。本発明の目的の一は、安全で、誰にでも美しい飾り切りが容易にできるゆで卵カッターを提供することにある。
【課題を解決するための手段及び発明の効果】
【０００７】
本発明の第１の側面に係るゆで卵カッターによれば、ゆで卵を切断する糸状部材と、少なくとも２つ以上のセグメントからなり、前記ゆで卵を包み込むように保持するゆで卵保持部と、前記糸状部材が取り付けられ、前記取り付けられた糸状部材とともに、前記ゆで卵保持部に覆われたゆで卵に前記一端が挿入される固定棒と、前記糸状部材が貫通するよう、隣り合う前記セグメントを離間させてなる溝と、前記ゆで卵保持部に前記ゆで卵を挿脱可能に前記複数のセグメントを開閉自在に連結させる連結部と、を備えることができる。前記構成により、溝に沿って糸状部材を動かすだけで、誰でも美しい飾り切りが容易にできる。また、刃物を使用しないので、安全性が高く、小さな子供でも扱うことができる。
【０００８】
また、本発明の第２の側面に係るゆで卵カッターによれば、さらに、前記固定棒がゆで卵保持部に挿入される長さを調整する調整部を備えることができる。前記構成により、固定棒を差し込む長さを変えることで様々なバリエーションの飾り切りができる。また、差し込む長さは、容易に調整できるので、ユーザの思いどおりの形状にゆで卵を切断することができる。
【０００９】
また、本発明の第３の側面に係るゆで卵カッターによれば、さらに、前記固定棒がゆで卵に挿入された際に、前記糸状部材が前記溝を貫通するよう取り付けられ、前記糸状部材が前記溝に沿って移動するよう前記糸状部材を誘導する誘導部を備えることができる。前記構成により、糸状部材の端が分かりやすく、指に痛みを感じさせず、容易に把持することができる。
【図面の簡単な説明】
【００１０】
【図１】本発明の第一実施例に係るゆで卵カッターの外形図である。
【図２】本発明の第一実施例に係るゆで卵カッターの構成図である。
【図３】本発明の第二実施例に係るゆで卵カッターの外形図であって、図３Ａは正面図、図３Ｂは右側面図である。
【図４】本発明の第三実施例に係るゆで卵カッターの外形図であって、図４Ａは正面図、図４Ｂは右側面図である。
【図５】本発明の第四実施例に係るゆで卵カッターの外形図であって、図５Ａは正面図、図５Ｂは右側面図である。
【図６】本発明の第五実施例に係るゆで卵カッターの外形図であって、図６Ａは正面図、図６Ｂは右側面図である。
【図７】本発明の第六実施例に係るゆで卵カッターの外形図である。
【図８】本発明の第六実施例に係るゆで卵カッターの内部構造図である。
【図９】本発明の第一実施例に係るゆで卵カッターの調整部の説明図であって、図９Ａ〜図９Ｄは、目盛の位置についての説明図であり、図９Ｅ〜図９Ｈは、図９Ａ〜図９Ｄに対応する目盛の位置に調整した際にできるゆで卵の切り口についての説明図である。
【図１０】本発明の第一実施例に係るゆで卵カッターの使用方法についての説明図である。
【発明を実施するための形態】
【００１１】
以下、本発明の実施の形態を図面に基づいて説明する。ただし、以下に示す実施の形態は、本発明の技術思想を具体化するためのゆで卵カッターを例示するものであって、本発明はそれらを以下のものに特定しない。また、本明細書は特許請求の範囲に示される部材を、実施の形態の部材に特定するものでは決してない。特に実施の形態に記載されている構成部品の寸法、材質、形状、その相対的配置等は特に特定的な記載がない限りは、本発明の範囲をそれのみに限定する趣旨ではなく、単なる説明例にすぎない。なお、各図面が示す部材の大きさや位置関係等は、説明を明確にするため誇張していることがある。さらに以下の説明において、同一の名称、符号については同一もしくは同質の部材を示しており、詳細説明を適宜省略する。さらに、本発明を構成する各要素は、複数の要素を同一の部材で構成して一の部材で複数の要素を兼用する態様としてもよいし、逆に一の部材の機能を複数の部材で分担して実現することもできる。
（ゆで卵カッター１〜６）
【００１２】
本発明の第一実施例に係るゆで卵カッターの外形図を図１に、発明の第一実施例に係るゆで卵カッターの構成図を図２に、本発明の第二実施例〜第五実施例に係るゆで卵カッターの外形図であって正面図を図３Ａ〜図６Ａに、右側面図を図３Ｂ〜図６Ｂに、本発明の第六実施例に係るゆで卵カッターの外形図を図７に、本発明の第六実施例に係るゆで卵カッターの内部構造図を図８に示す。
【００１３】
図１〜図２に示すように、本発明の第一実施例に係るゆで卵カッター１は、ゆで卵ＢＥを切断する糸状部材１２と、複数のセグメント１３１、１３２からなり、ゆで卵ＢＥを包み込むように保持するゆで卵保持部１３と、糸状部材の一端１２１が取り付けられ、取り付けられた糸状部材１２とともに、ゆで卵保持部１３に覆われたゆで卵ＢＥに一端１６１が挿入される固定棒１６と、糸状部材１２が貫通するよう、隣り合うセグメント１３１、１３２を離間させてなる溝１４と、ゆで卵保持部１３にゆで卵ＢＥを挿脱させるよう、複数のセグメント１３１、１３２を開閉自在に連結させる連結部１５と、糸状部材の他端１２２に取り付けられた誘導部１８とを備えている。
【００１４】
また、本発明の第二実施例〜第五実施例に係るゆで卵カッター２〜５は、図３〜図６に示すように、第一実施例と略同様の構成であって、セグメントの形状、及び、数を変更した場合の実施例である。以下、図１〜２を参照しながら、本発明の第一実施例について、詳細に説明するが、第二実施例〜第五実施例についても略同様の構成であり、相異点については、適宜説明する。
（糸状部材１２）
【００１５】
糸状部材は、ゆで卵を切断するための部材である。糸状部材１２は、図１〜２に示すように、一端１２１が、固定棒１６１に結び付けられ、他端１２２が、誘導部１８に結び付けられた例えばピアノ線である。ゆで卵保持部１３にゆで卵ＢＥを保持した状態で、誘導部１８を引っ張りながら、溝１４に沿って動かすことにより、固定棒１６と誘導部１８によって張られたピアノ線は、ゆで卵ＢＥを切断する。本実施例において、糸状部材１２は、ピアノ線を使用しているが、ゆで卵ＢＥが切断できる程度の強度があればよく、釣り糸や、凧糸などでもよい。また、糸状部材１２は、図４、図７〜８に示すように、複数個備えてもよい。
（ゆで卵保持部１３）
【００１６】
ゆで卵保持部は、ゆで卵を保持するための部材である。
【００１７】
ゆで卵保持部１３は、例えば、プラスチックを成形してなる容器で、図１〜２に示すように、端部が波形に成形された半卵形の第一セグメント１３１と、第一セグメント１３１の端部の波形に対向するよう端部が波形に成形され、第一セグメント１３１と一体となって、ゆで卵ＢＥを包み込むように保持する第二セグメント１３２からなる。波型は、図１に示すような三角波形状であってもよいし、図３に示すようなω形状でもよいし、図５に示すような正弦曲線形状でもよい。また、ゆで卵保持部３３、４３，５３、６３を構成するセグメントの数は、例えば、図４に示すように、３つでもよいし、図５〜６に示すように、４つでもよいし、図７に示すように、１０個でもよく、数は限定されない。
（溝１４）
【００１８】
溝は、糸状部材の移動範囲を制限することでガイドとして働き、ゆで卵の切断を容易にするための部材である。
【００１９】
溝１４は、例えば、図２に示すように、糸状部材１２が貫通できる程度に隣り合うセグメント１３１、１３２を離間させて配置することにより形成される。形状については、例えば、図１〜２、図４、図６〜７に示すような三角波形状の溝１４、３４、５４、６４でもよいし、図３に示すようなω形状の溝２４でもよいし、図５に示すような正弦曲線形状の溝４４でもよい。溝の形状は、上述の形状に限定されず、適宜設計することができる。
（連結部１５、３５、６５）
【００２０】
連結部は、セグメント同士をつなぎ、ゆで卵保持部にゆで卵を挿脱可能に開閉させるための部材である。なお、連結部２５、４５、５５は、連結部１５と同様の構成とすることができる。
（連結部１５）
【００２１】
連結部１５は、例えば、図１〜２に示すように、第一連結部材１５１と、第二連結部材１５２とからなり、第一連結部材１５１は、第一セグメント１３１に溶着される第一セグメント側端部１５１１と、ユーザに把持される第一把持部１５１３と、第一セグメント側端部１５１１と第一把持部１５１３の間に位置し、第二連結部材１５２と回動可能に結合される第一結合部１５１２とを備えている。また、第二連結部材１５２は、第一連結部材１５１と同様の構成で、第二セグメント１３２に溶着され、第二セグメント側端部１５２１と第二把持部１５２３の間に位置する第二結合部１５２２によって、第一連結部材１５１と回動可能に結合されている。
【００２２】
第一連結部材１５１と第二連結部材１５２とは、バネ１７によって、第一セグメント側端部１５１１と第二セグメント側端部１５２１とが近づけられる方向に常時押圧されている。
【００２３】
連結部１５は、洗濯ばさみのように、ユーザが第一把持部１５１３と第二把持部１５２３を強く握ることによって、第一把持部１５１３と第二把持部１５２３とが近づく方向に動かされると、第一セグメント側端部１５１１に溶着されたセグメント１３１と第二セグメント側端部１５２１に溶着されたセグメント１３２とが離れる方向に動くことにより、ゆで卵保持部１３が開き、ゆで卵ＢＥを出し入れすることができる。
【００２４】
また、ユーザが握っていた手の力を緩めると、バネ１７の力によって、第一セグメント側端部１５１１に溶着された第一セグメント１３１と第二セグメント側端部１５２１に溶着された第二セグメント１３２とが近づく方向に動かされる。バネ１７の力によって、ゆで卵保持部１３が閉じる方向に常に押圧されるため、安定してゆで卵ＢＥを保持することができる。
（連結部３５）
【００２５】
図４に示すように、連結部３５は、例えば、第一セグメント３３１及び第二セグメント３３２、第三セグメント３３３にそれぞれ溶着され、第一連結部材１５１と略同様の構成からなる第一連結部材３５１、第二連結部材３５２、第三連結部材３５３からなる。
【００２６】
結合部３５１２、３５２２、３５３２については、例えば、組み合わされた際に内側になる方向に向かって径が小さくなる円錐台の傾斜面に、互いに噛み合う歯車のような突起を備えた構造にすることができる。
【００２７】
このような構造の結合部３５１２、３５２２、３５３２において、第一把持部３５１３と第二把持部３５２３とが近づく方向に動かされると、第一結合部３５１２、第二結合部３５２２の突起と噛み合う第三結合部３５３２の突起は、第一結合部３５１２、第二結合部３５２２の突起によって押され、結合部３５１２、３５２２、３５３２のゆで卵保持部３３側は、互いに離れる方向に動く。この結合部の動きにより、第一セグメント側端部３５１１に溶着されたセグメント３３１と、第二セグメント側端部３５２１に溶着されたセグメント３３２と、第三セグメント側端部３５３１に溶着されたセグメント３３３とが離れる方向に動き、ゆで卵保持部３３が開く。なお、突起は傾斜面の全面にある必要はなく、開閉に必要な位置に備えていればよい。
（連結部６５）
【００２８】
連結部６５は、図７に示すように、例えば、５つのセグメント６３２、６３４、６３６、６３８、６３０が溶着された櫛型連結部材６５３と、セグメント６３２、６３４、６３６、６３８、６３０と対向するセグメント６３１、６３３、６３５、６３７、６３９とを連結する５つの蝶番６５４からなる。蝶番６５４を軸に、セグメント６３１、６３３、６３５、６３７、６３９を回転させると、ゆで卵保持部１３が開くので、ゆで卵保持部１３にゆで卵ＢＥを挿脱することができる。
【００２９】
なお、連結部１５、２５、３５、４５、５５、６５の構造は、上述のものに限定されず、ゆで卵保持部１３にゆで卵ＢＥを挿脱できるようセグメント（図番省略）をつなぐとともに、開閉させることができるようなものであればよく、連結部をトングのような構造にして、先端にゆで卵保持部３３を設けてもよい。
【００３０】
また、ゆで卵カッター１〜６は、連結部１５、２５、３５、４５、５５、６５が動かないよう固定するロック機構が設けられてもよい。
（固定棒１６）
【００３１】
固定棒は、糸状部材を固定し、固定された糸状部材をゆで卵に挿入するための部材である。
【００３２】
固定棒１６は、例えば、図１〜２に示すように、端部１６１に糸状部材１２が結びつけられた竹串状の長細い棒である。なお、糸状部材１２を結び付ける位置は、固定棒１６をゆで卵ＢＥに刺した際に、糸状部材１２が、ゆで卵ＢＥ内に位置するよう固定されていればよく、端部１６１でなくともよい。固定棒１６が、溝１４の幅より太い場合は、ゆで卵保持部１３の固定棒が貫通する部位に、固定棒よりやや大きな開口を設けることが好ましい。
（調整部１６３）
【００３３】
調整部は、固定棒の差し込み長さを容易に調整し、ユーザ所望の飾り切りを可能にするための部材である。
【００３４】
本発明の第一実施例に係るゆで卵カッターの調整部の説明図であって、目盛の位置についての説明図を図９Ａ〜Ｄに、図９Ａ〜Ｄに対応する目盛の位置に調整した際にできるゆで卵の切り口についての説明図を図９Ｅ〜Ｈに示す。
【００３５】
調整部１６３は、図９Ａ〜Ｄに示すように、例えば、固定棒１６に設けられた目盛１６３１である。目盛１６３１に合わせて固定棒１６をゆで卵保持部１３に差し込むことで、固定棒１６の差し込み長さを容易に把握し、調整することができる。ゆで卵保持部１３に固定棒１６を差し込む長さは、目盛１６３１に合わせて容易に調整できるため、図９Ｅ〜Ｈに示すような固定棒１６の差し込み長さに応じた様々なバリエーションの飾り切りができる。
【００３６】
なお、固定棒６６は、調整部を備えなくてもよく、連結部６５に固定してもよい。
（誘導部１８）
【００３７】
誘導部は、糸状部材の端を分かりやすくするとともに、把持しやすくするための部材である。
【００３８】
誘導部１８は、例えば、図１〜２に示すような、棒状でもよいし、図３に示すような指を掛けて使用するようなリング状のものでもよいし、図７に示すような弓形状でもよく、形状は上述のものに限られない。図２、図７に示すように、突起形状の糸状部材の取付部１８２、６８２を設けることにより、糸状部材１２の取り付け及び誘導が容易にできる。
（使用方法）
【００３９】
本発明の第一実施例に係るゆで卵カッターの使用方法についての説明図を図１０に示す。
【００４０】
図１０に示すように、まず、ステップＳＴ１０１において、ユーザは、第一把持部１５１３と第二把持部１５２３が近づく方向に強く握り、ゆで卵保持部１３を開く。次に、ステップＳＴ１０２において、開いたゆで卵保持部１３にゆで卵ＢＥを入れる。その後、ステップＳＴ１０３において、ユーザが握っていた手の力を緩めると、バネ１７の力により、第一セグメント１３１と第二セグメント１３２が近づく方向に押され、ゆで卵保持部１３が閉じ、ゆで卵ＢＥが保持される。
【００４１】
次に、ステップＳＴ１０４において、目盛１６３１で調整しながら、ゆで卵保持部１３に固定棒１６を差し込む。さらに、ステップＳＴ１０５において、一方の手で第一把持部１５１３を握り、他方の手で誘導部１８を握り、固定棒１６の挿入位置から、糸状部材１２を溝１４に沿って、固定棒１６の挿入位置まで一回り動かし、ゆで卵ＢＥを切断する。
【００４２】
次に、ステップＳＴ１０６において、ユーザは、第一把持部１５１３と第二把持部１５２３とが近づく方向に強く握り、ゆで卵保持部１３を開く。最後に、ステップＳＴ１０７において、開いたゆで卵保持部１３から飾り切りされたゆで卵ＢＥを取り出す。
【００４３】
なお、ステップＳＴ１０２において、ゆで卵保持部１３にゆで卵ＢＥを入れる際に、ゆで卵ＢＥを固定棒６６に突き刺してもよい。
【００４４】
なお、本発明の第二実施例〜第五実施例に係るゆで卵カッター１〜５については、第一実施例と略同様に使用することができる。
【００４５】
また、本発明の第六実施例に係るゆで卵カッターの使用方法については、蝶番を軸に、セグメントを回転させることにより、ゆで卵保持部１３の開閉を行う点以外は第一実施例と同様である。
【産業上の利用可能性】
【００４６】
本発明は、安全性が高く、誰にでも簡単に美しい飾り切りができるゆで卵カッターに使用できる。
【符号の説明】
【００４７】
１〜６…ゆで卵カッター
１２、２２、３２、４２、５２、６２…糸状部材
１３、２３、３３、４３、５３、６３…ゆで卵保持部
１３１、２３１、３３１、４３１、５３１、６３１…第一セグメント、
１３２、２３２、３３２、４３２、５３２、６３２…第二セグメント、
３３３、４３３、５３３、６３３…第三セグメント
４３４、５３４、６３４〜６３９、６３０…セグメント
１４、２４、３４、４４、５４、６４…溝
１５、２５、３５、４５、５５、６５…連結部
１５１、２５１、３５１…第一連結部材、１５１１…第一セグメント側端部、１５１２…第一結合部、１５１３…第一把持部
１５２、２５２、３５２…第二連結部材、１５２１…第二セグメント側端部、１５２２…第二結合部、１５２３…第二把持部
３５３…第三連結部材
６５３…櫛型連結部材、６５４…蝶番
１６、２６、３６、６６…固定棒
１６１…挿入側端部、１６２…把持側端部、１６３…調整部、１６３１…目盛
１７、２７、３７…バネ
１８、２８、３８、４８、５８、６８…誘導部
１８１、６８１…把持部、１８２、６８２…糸状部材の取付部
ＢＥ…ゆで卵
【図１】
2018202576.tif 000003
【図２】
2018202576.tif 000004
【図３】
2018202576.tif 000005
【図４】
2018202576.tif 000006
【図５】
2018202576.tif 000007
【図６】
2018202576.tif 000008
【図７】
2018202576.tif 000009
【図８】
2018202576.tif 000010
【図９】
2018202576.tif 000011
【図１０】
2018202576.tif 000012
【手続補正書】
【提出日】平成29年10月13日(2017.10.13)
【手続補正１】
【補正対象書類名】特許請求の範囲
【補正対象項目名】全文
【補正方法】変更
【補正の内容】
【特許請求の範囲】
【請求項１】
ゆで卵を切断する糸状部材と、
少なくとも２つ以上のセグメントからなり、前記ゆで卵を包み込むように保持するゆで卵保持部と、
前記糸状部材が取り付けられ、前記取り付けられた糸状部材とともに、前記ゆで卵保持部に覆われたゆで卵に一端が挿入される固定棒と、
前記糸状部材が貫通するよう、隣り合う前記セグメントを離間させてなる溝と、
前記ゆで卵保持部に前記ゆで卵を挿脱させるよう、前記複数のセグメントを開閉自在に連結させる連結部と、
を備え、
前記連結部は、複数の連結部材からなり、
前記連結部材は、ユーザが少なくとも２つの連結部材を片手で握ることができるよう、互いに回動可能に結合されることを特徴とするゆで卵カッター。
【請求項２】
請求項１に記載のゆで卵カッターであって、さらに、
前記固定棒がゆで卵保持部に挿入される長さを調整する調整部を備えるゆで卵カッター。
【請求項３】
請求項１又は請求項２に記載のゆで卵カッターであって、さらに、
前記固定棒がゆで卵に挿入された際に、前記糸状部材が前記溝を貫通するよう取り付けられ、前記糸状部材が前記溝に沿って移動するよう前記糸状部材を誘導する誘導部を備えるゆで卵カッター。
【請求項４】
ゆで卵を切断する糸状部材と、
少なくとも２つ以上のセグメントからなり、前記ゆで卵を包み込むように保持するゆで卵保持部と、
前記糸状部材が取り付けられ、前記取り付けられた糸状部材とともに、前記ゆで卵保持部に覆われたゆで卵に一端が挿入される固定棒と、
前記糸状部材が貫通するよう、隣り合う前記セグメントを離間させてなる溝と、
前記ゆで卵保持部に前記ゆで卵を挿脱させるよう、前記複数のセグメントを開閉自在に連結させる連結部と、
前記固定棒がゆで卵保持部に挿入される長さを調整する調整部と、
を備え、
前記調整部は、前記固定棒に設けられた目盛であることを特徴とするゆで卵カッター。